(57)【特許請求の範囲】
【請求項１】
非接触情報記録媒体に記録された情報を読み取るための電磁波を放射するループアンテナ、及び該ループアンテナを介して所定の変復調方式に基づく搬送電力の送信とデータの授受を行うリーダ本体を備えたリーダと、
前記リーダの動作を制御すると共に、前記リーダにより読取った前記非接触情報記録媒体に記録されたＩＤ情報が認証されたＩＤ情報であるか否かを判定する制御手段と、
前記ループアンテナから放射される電磁波と電磁結合する受電部、該受電部により誘起された電流により電磁波を発生するアンテナ部、前記受電部により誘起された電流を断接する断接手段、該断接手段が接状態のときに前記受電部により誘起された電流を整流して直流電力を生成する電源部、前記非接触情報記録媒体に記録されたＩＤ情報が正規のＩＤ情報であることを報知する報知手段、前記制御手段からの判定結果を前記リーダ本体を介して受信して検波する検波手段、及び該検波手段により検波された信号に基づいて前記報知手段を駆動する駆動手段を有するハンディアンテナと、を備え、
前記ループアンテナは複数の前記ハンディアンテナの各受電部と夫々電磁結合可能な構成としたことを特徴とする認証判定装置。
【請求項２】
前記ハンディアンテナは、前記電源部により生成した直流電力を前記報知手段及び前記検波手段に供給するように構成したことを特徴とする請求項１に記載の認証判定装置。
【請求項３】
前記直流電力をバッテリから供給することを特徴とする請求項２に記載の認証判定装置。
【請求項４】
前記報知手段が発光ダイオードにより構成されていることを特徴とする請求項２又は３に記載の認証判定装置。
【請求項５】
前記断接手段を接状態にしたときに、前記受電部により誘起された電流が前記電源部に供給されるように構成したことを特徴とする請求項１乃至４の何れか一項に記載の認証判定装置。
【発明の詳細な説明】
【技術分野】
【０００１】
本発明は、認証判定装置に関し、さらに詳しくは、１つのリーダに少なくとも１つの移動可能なハンディアンテナを電磁結合させ、該ハンディアンテナにより読取ったＩＣカードのＩＤが認証されているか否かを判定する認証判定装置に関するものである。
【背景技術】
【０００２】
従来から、イベント会場及び有料施設等では、入場者を特定するためのＩＤ情報、会場名、入場日時等のデータを記録した入場券等を発行し、入場する際に、ゲートに配置されたハンディリーダを持った係員により、入場券等に記録されているデータを読み取り、その場で入場券等が正規のものであるか否かを判定している。しかし、ハンディリーダには、入場券等のデータを読み取る読取部と、読取ったデータが正規の内容であるか否かを判断する制御部と、電力を供給するバッテリ等が搭載されているため、片手で把持、操作する際に大きな負担となる重量物であり、操作者が疲労し易かった。また、コストも決して安価なものではないため、多数の係員にハンディリーダを持たせることにより、運用コストが嵩むといった問題がある。
従来技術として特許文献１には、商品に添付された情報を読み取るハンディリーダと、読取った情報を記憶するメモリと、表示部と、通信手段とを備え、タグの個々の情報だけでなく、タグ内のメモリ内容を情報記憶コンテンツとして活用し、ネットワークに接続することなく簡易にリーダライタにより表示することができる商品情報表示システムについて開示されている。
【先行技術文献】
【特許文献】
【０００３】
【特許文献１】特開２００５−２３７８６９号公報
【発明の概要】
【発明が解決しようとする課題】
【０００４】
しかし、特許文献１に開示されている従来技術は、ハンディリーダとリーダライタが１対１に固定的に構成されているため、ハンディリーダを増加するたびにリーダライタが必要となり、装置コストが高くなるといった問題がある。
本発明は、かかる課題に鑑みてなされたものであり、１つのリーダのループアンテナに受電部とアンテナ部を有する複数のハンディアンテナを電磁結合させることにより、簡単な構成で、各アンテナ部と夫々電磁結合した各ＩＣカードとの間でループアンテナを介して電磁波による情報の授受を行い、ＩＣカードが認証されたＩＣカードであるか否かを判定する認証判定装置を提供することを目的とする。
また、他の目的は、既設の据え置き型のリーダをハンディタイプに置き換えることである。
【課題を解決するための手段】
【０００５】
本発明はかかる課題を解決するために、請求項１は、非接触情報記録媒体に記録された情報を読み取るための電磁波を放射するループアンテナ、及び該ループアンテナを介して所定の変復調方式に基づく搬送電力の送信とデータの授受を行うリーダ本体を備えたリーダと、前記リーダの動作を制御すると共に、前記リーダにより読取った前記非接触情報記録媒体に記録されたＩＤ情報が認証されたＩＤ情報であるか否かを判定する制御手段と、前記ループアンテナから放射される電磁波と電磁結合する受電部、該受電部により誘起された電流により電磁波を発生するアンテナ部、前記受電部により誘起された電流を断接する断接手段、該断接手段が接状態のときに前記受電部により誘起された電流を整流して直流電力を生成する電源部、前記非接触情報記録媒体に記録されたＩＤ情報が正規のＩＤ情報であることを報知する報知手段、前記制御手段からの判定結果を前記リーダ本体を介して受信して検波する検波手段、及び該検波手段により検波された信号に基づいて前記報知手段を駆動する駆動手段を有するハンディアンテナと、を備え、前記ループアンテナは複数の前記ハンディアンテナの各受電部と夫々電磁結合可能な構成としたことを特徴とする。
本発明の認証判定装置は、ＰＣ等により構成される制御手段、リーダ、及び少なくとも１つのハンディアンテナにより構成されている。特に、ハンディアンテナは、リーダ本体のループアンテナから放射される電磁波と電磁結合する受電部と、受電部により受電した電磁波により誘起された電流で電磁波を発生するアンテナ部とを備えている。従って、アンテナ部にＩＣカードをかざすことでＩＣカードに記録されているＩＤ情報を読取ることができる。この読取ったＩＤ情報を制御部により認証されたＩＤ情報であるか否かを判定し、その結果をハンディアンテナに返送する。これにより、軽量な構成で且つ低コストに実現したハンディアンテナにより、従来のハンディリーダと同じ機能を実現することができる。
【０００６】
請求項２は、前記ハンディアンテナは、前記電源部により生成した直流電力を前記報知手段及び前記検波手段に供給するように構成したことを特徴とする。
本発明のハンディアンテナは、ハンディアンテナの手元側に断接手段（スイッチ）を備え、受電部で誘起された電流を整流して直流電力を生成する電源部と、ＩＤ情報が正規のＩＤ情報であることを報知する報知手段と、制御手段から送信された判定結果を検波する検波手段と、検波手段により検波された信号に基づいて報知手段を駆動する駆動手段とを備える。即ち、本発明では、ハンディアンテナの手元側にスイッチを備え、そのスイッチをＯＮにするとアンテナ部から電磁波が放射するとともに、その電磁波を電力として使用して、制御手段から返送されたＩＤ情報の認証可否を報知する構成とした。これにより、不要な電磁波を放射することを防止すると共に、電力供給源を別途設ける必要がなくなり、小型・軽量化することができる。
【０００７】
請求項３は、前記直流電力をバッテリから供給することを特徴とする。
受電部で誘起された電流を整流して直流電力を生成する場合、複数のハンディアンテナのスイッチがＯＮされると、リーダからの電力が不足する場合もある。そこで本発明では、直流電力を別に設けたバッテリから供給するようにする。これにより、複数のハンディアンテナが同時に使用されても、リーダの電力が低下することを防止することができる。
【０００８】
請求項４は、前記報知手段が発光ダイオードにより構成されていることを特徴とする。
使用者にＩＤ情報が正規のＩＤ情報であるか否かを報知する手段として、光または音による手段がある。しかし、受電部で誘起された電流はあまり大きくないので、可能な限り消費電流が小さいことが望まれる。そこで本発明では、光による報知手段として発光ダイオードを使用する。これにより、消費電流が少なく、且つ明瞭な報知を行うことができる。
【０００９】
請求項５は、前記断接手段を接状態にしたときに、前記受電部により誘起された電流が前記電源部に供給されるように構成したことを特徴とする。
電源部は実際に動作する時に直流電力が駆動手段に供給される構成が望ましい。そこで本発明では、断接手段が接状態のときに電流が電源部に供給されるように構成する。これにより、不要な電流を極力抑えることができる。
【発明の効果】
【００１０】
本発明によれば、読取ったＩＤ情報を制御部により認証されたＩＤ情報であるか否かを判定し、その結果をループアンテナに返送するので、軽量な構成で且つ低コストに実現したハンディアンテナにより、従来のハンディリーダと同じ機能を実現することができる。
また、本発明では、ハンディアンテナの手元側にスイッチを備え、そのスイッチをＯＮにするとアンテナ部から電磁波が放射するとともに、その電磁波を電力に変換して、制御手段から返送されたＩＤ情報の認証可否を報知する構成としたので、不要な電磁波を放射することを防止すると共に、電力供給源を別途設ける必要がなくなり、小型・軽量化することができる。
また、電源を別のバッテリから供給するようにするので、複数のハンディアンテナが同時に使用されても、リーダの電力が低下することを防止することができる。
また、光による報知手段として発光ダイオードを使用するので、消費電流が少なく、且つ明瞭な報知を行うことができる。
また、断接手段が接状態のときに電流が電源部に流れるように構成するので、不要な電流を極力抑えることができる。
【図面の簡単な説明】
【００１１】
【図１】本発明の認証判定装置の構成を示す図である。
【図２】本実施形態に係るハンディアンテナの外観構成を示す図である。
【図３】第１の実施形態に係るハンディアンテナの機能を説明する図である。
【図４】第２の実施形態に係るハンディアンテナの機能を説明する図である。
【図５】第３の実施形態に係るハンディアンテナの機能を説明する図である。
【発明を実施するための形態】
【００１２】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１３】
図１は本発明の認証判定装置の構成を示す図である。
本発明の認証判定装置５０は、ＩＣカード（非接触情報記録媒体）６に記録された情報を読み取るための電磁波を放射するループアンテナ２、及びループアンテナ２を介して所定の変復調方式に基づく搬送電力の送信とデータの授受を行うリーダ本体１を備えたリーダ４１と、ループアンテナ２から放射される電磁波と電磁結合する受電部３、及び受電部３により誘起された電流により電磁波を発生するアンテナ部５を有する少なくとも１つのハンディアンテナ４０と、リーダ４１の動作を制御すると共に、リーダ４１により読取ったＩＣカード６に記録されたＩＤが認証されたＩＤであるか否かを判定するＰＣ（制御手段）１３と、を備え、ＰＣ１６により判定されたＩＤ情報の判定結果に基づいて、ＩＤ情報の認証の成否を報知する。尚、ハンディアンテナ４０は、受電部３とアンテナ部５をケーブル４により接続し、ケーブル４の長さは所定の長さに設定される。また、図１ではハンディアンテナ４０は１つであるが、複数のハンディアンテナの夫々の受電部３によりループアンテナ２と電磁結合しても良い。
【００１４】
即ち、本実施形態の認証判定装置５０は、ＰＣ１６により構成される制御手段、リーダ４１、及び少なくとも１つのハンディアンテナ４０により構成されている。特に、ハンディアンテナ４０は、リーダ本体１のループアンテナ２から放射される電磁波と電磁結合する受電部３と、受電部３により受電した電磁波により誘起された電流で電磁波を発生するアンテナ部５とを備えている。従って、アンテナ部５にＩＣカード６をかざすことでＩＣカード６に記録されているＩＤ情報を読取ることができる。この読取ったＩＤ情報をＰＣ１６により認証されたＩＤ情報であるか否かを判定し、その判定結果をハンディアンテナ４０に返送する。これにより、軽量な構成で且つ低コストに実現したハンディアンテナ４０により、従来のハンディリーダと同じ機能を実現することができる。
また、本実施形態では、ハンディアンテナ４０の手元側にスイッチ７を備え、そのスイッチ７をＯＮにするとアンテナ部５から電磁波が放射する構成とした。これにより、軽量な構成で且つ低コストに実現したハンディアンテナにより、従来のハンディリーダと同じ機能を実現することができる。また、不要な電磁波を放射することを防止することができる。
【００１５】
図２は本実施形態に係るハンディアンテナの外観構成を示す図である。本実施形態に係るハンディアンテナ４０は、ケース９にアンテナ部５、スイッチ７、及びＬＥＤ８を実装し、ケース９からケーブル４を介して受電部３が接続されている。ここで、アンテナ部５は、円状に構成し、円状部分がＩＣカード６と近接するように操作する。また、スイッチ７は、例えばスイッチ７を押している間は接続され、押圧を解除すると接続が遮断される構造にしても良いし、スライドスイッチのような構成でも構わない。
【００１６】
図３は第１の実施形態に係るハンディアンテナの機能を説明する図である。本実施形態のハンディアンテナ４０は、受電部３により誘起された電流を断接するスイッチ７と、受電部３により誘起された電流を整流する保護抵抗１４を直列接続したダイオード１５と、スイッチ７を接状態にしたときに電磁波がアンテナ部５に供給されていることを報知するＬＥＤ８と、を備え、スイッチ７が接状態のときにアンテナ部５より電磁波が放射される構成とし、電磁波が放射されているときに、保護抵抗１４とダイオード１５を介してＬＥＤ８に電流が流れて、ＬＥＤ８を点灯する。本実施形態の場合、ハンディアンテナ４０の手元ではＩＣカード６のＩＤが認証されたか否かを認識することができないので、ＰＣ１６の近傍にいて、認証の結果は、ＰＣ１６の表示部に表示するようにする。
【００１７】
図４は第２の実施形態に係るハンディアンテナの機能を説明する図である。本実施形態のハンディアンテナ４１は、受電部３により誘起された電流を断接するスイッチ７と、受電部３により誘起された電流を整流して直流電力を生成する電源部１０と、ＩＣカード６に記録されたＩＤ情報が正規のＩＤ情報であることを報知するＬＥＤ（報知手段）８と、ＰＣ１６により判定された結果をリーダ本体１を介して受信して検波する検波回路（検波手段）１３と、検波回路１３により検波された信号に基づいてＬＥＤ１８を点灯するＬＥＤ駆動部（駆動手段）１１と、を備えた。尚、スイッチ７を接状態にしたときに、受電部３により誘起された電流が電源部１０に流れるように構成した。
即ち、本実施形態のハンディアンテナ４１は、スイッチ７と、受電部３で誘起された電流を整流して直流電力を生成する電源部１０と、ＩＤ情報が正規のＩＤ情報であることを報知するＬＥＤ８と、ＰＣ１６から送信された信号を検波する検波回路１３と、検波回路１３により検波された信号に基づいてＬＥＤ８を駆動するＬＥＤ駆動部１１とを備える。これにより、ハンディアンテナ４１の手元でＩＤ情報が認証されたＩＤ情報であるか否かを確認することができる。
また、電源部１０は実際に動作する時に直流電力がＬＥＤ駆動部１１に供給される構成が望ましい。そこで本実施形態では、スイッチ７が接状態のときに電流が電源部１０に流れるように構成する。これにより、不要な電流を極力抑えることができる。
また、使用者にＩＤ情報が正規のＩＤ情報であるか否かを報知する手段として、光または音による手段がある。しかし、受電部３で誘起された電流はあまり大きくないので、可能な限り消費電流が小さいことが望まれる。そこで本実施形態では、光による報知手段としてＬＥＤ（発光ダイオード）８を使用する。これにより、消費電流が少なく、且つ明瞭な報知を行うことができる。
【００１８】
図５は第３の実施形態に係るハンディアンテナの機能を説明する図である。本実施形態のハンディアンテナ４２は、電源部がバッテリ１２により構成されている。尚、バッテリ１２の出力側には、スイッチ７ａと同時に動作するスイッチ７ｂが直列に接続され、検波回路１３とＬＥＤ駆動部１１の構成は図４と同様である。
即ち、受電部３で誘起された電流を整流して直流電力を生成する場合、複数のハンディアンテナのスイッチがＯＮされると、リーダ４１からの電力が不足する場合もある。そこで本実施形態では、電力を別のバッテリ１２から供給するようにする。これにより、複数のハンディアンテナが同時に使用されても、リーダ４１の電力が低下することを防止することができる。
【符号の説明】
【００１９】
１  リーダ本体、２  ループアンテナ、３  受電部、４  ケーブル、５  アンテナ部、６  ＩＣカード、７  スイッチ、８  ＬＥＤ、９  ケース、１０  電源部、１１  ＬＥＤ駆動部、１２  バッテリ、１３  検波回路、１４  保護抵抗、１５  ダイオード、４０〜４２  ハンディアンテナ、５０  認証判定装置
【図１】
0005758091.tif 000002
【図２】
0005758091.tif 000003
【図３】
0005758091.tif 000004
【図４】
0005758091.tif 000005
【図５】
0005758091.tif 000006